(57)【要約】【課題】撮影画角を８０度以上、更には１００度以上にまで広げることが可能であるとともに、コンパクトな構成でありながら収差発生が少なく、結像性能が良好で実用に適した構成のワイドコンバーターレンズを提供する。【解決手段】物体側から順に負の屈折力を有する第１レンズ群ＦＬと正の屈折力を有する第２レンズ群ＲＬとを備えてアフォーカル光学系を構成する。第１レンズ群ＦＬの最も物体側の位置には物体側に凸面を向けた負メニスカスレンズＬ１０１が配置され、第２レンズ群中ＲＬには（少なくとも１つの）両凸レンズＬ１０２が配置される。そして、第１レンズ群ＦＬ（及び第２レンズ群ＲＬの少なくとも一方）には回折光学面Ｇｆが設けられる。【選択図】        図１
2004205652.tif 000002
【特許請求の範囲】
【請求項１】
撮影レンズの物体側に装着して用いられるワイドコンバーターレンズであって、
物体側から順に負の屈折力を有する第１レンズ群と正の屈折力を有する第２レンズ群とを備えてアフォーカル光学系を構成し、
前記第１レンズ群の最も物体側の位置に物体側に凸面を向けた負メニスカスレンズを有するとともに、前記第２レンズ群中に少なくとも１つの両凸レンズを有し、
前記第１レンズ群及び前記第２レンズ群の少なくとも一方に回折光学面が設けられたことを特徴とするワイドコンバーターレンズ。
【請求項２】
最大像高に至る主光線が前記回折光学面に入射する角度が１５度以下であることを特徴とする請求項１記載のワイドコンバーターレンズ。
【請求項３】
前記回折光学面は物体側に凸な面に形成され、前記回折光学面の有効径をＣ、前記第１レンズ群の焦点距離をｆＦとしたときに、
０．２＜Ｃ／｜ｆＦ｜＜１０．０
の条件を満足していることを特徴とする請求項１又は２記載のワイドコンバーターレンズ。
【請求項４】
前記回折光学面を有するレンズの焦点距離をｆｋとし、前記第１レンズ群の最も物体側に位置する面から前記第２レンズ群の最も像側に位置する面までの距離をＬとしたときに、
０．２＜｜ｆｋ｜／Ｌ＜５．０
の条件を満足していることを特徴とする請求項１〜３のいずれかに記載のワイドコンバーターレンズ。
【請求項５】
前記第１レンズ群の最も物体側に位置する前記負メニスカスレンズは、物体側の面の曲率半径をｒ１、像側の面の曲率半径をｒ２としたときに、
１．０＜（ｒ１＋ｒ２）／（ｒ１−ｒ２）＜５．０
の条件を満足していることを特徴とする請求項１〜４のいずれかに記載のワイドコンバーターレンズ。
【発明の詳細な説明】
【０００１】
【発明の属する技術分野】
本発明は、撮影レンズの物体側に装着してレンズ系全体の焦点距離を短くし、撮影画角を広げるためのワイドコンバーターレンズに関する。
【０００２】
【従来の技術】
従来、撮影レンズの物体側に装着し、レンズ系全体の焦点距離を短くして撮影画角を広げるワイドコンバーターレンズが知られており、スチルカメラやビデオカメラ等に用いられている。このようなワイドコンバーターレンズは多くの場合、物体側から順に負の屈折力を有する第１レンズ群と正の屈折力を有する第２レンズ群とを配置したうえで、これら両レンズ群の焦点位置をほぼ一致させ、物体側から入射した平行光束が同じく平行光束として出射するアフォーカル光学系として構成する。このような従来のワイドコンバーターレンズの例が下記の特許文献に示されており、物体側から順に負の屈折力を有する１枚の負レンズ、正の屈折力を有する１枚の正レンズと配置された計２枚のレンズからなる、比較的単純な構成のものが開示されている。
【０００３】
【特許文献１】
特開平６−１３８３８９号公報
【特許文献２】
特開平７−２０９５８０号公報
【０００４】
【発明が解決しようとする課題】
しかしながら、上記２つの公報に開示されたワイドコンバーターレンズにおいては、撮影レンズ装着時の撮影画角が７４度或いは７６度程度と小さく、ワイド化が不充分であった。また、いずれもレンズ枚数が少なく単純な構成であるため小型軽量化が図れるものの、収差がやや大きく、結像性能が不充分であるという問題があった。
【０００５】
本発明はこのような問題に鑑みてなされたものであり、撮影画角を８０度以上、更には１００度以上にまで広げることが可能であるとともに、コンパクトな構成でありながら収差発生が少なく、結像性能が良好で実用に適した構成のワイドコンバーターレンズを提供することを目的としている。
【０００６】
【課題を解決するための手段】
本発明に係るワイドコンバーターレンズは、撮影レンズの物体側に装着して用いられるワイドコンバーターレンズであって、物体側から順に負の屈折力を有する第１レンズ群と正の屈折力を有する第２レンズ群とを備えてアフォーカル光学系を構成し、第１レンズ群の最も物体側の位置に物体側に凸面を向けた負メニスカスレンズを有するとともに、第２レンズ群中に少なくとも１つの両凸レンズを有し、第１レンズ群及び第２レンズ群の少なくとも一方に回折光学面が設けられている。
【０００７】
また、本発明に係るワイドコンバーターレンズにおいては、最大像高に至る主光線が回折光学面に入射する角度が１５度以下であることが好ましい。また、回折光学面は物体側に凸な面に形成され、回折光学面の有効径をＣ、前記第１レンズ群の焦点距離をｆＦとしたときに、０．２＜Ｃ／｜ｆＦ｜＜１０．０の条件を満足していることが好ましい。
【０００８】
また、本発明に係るワイドコンバーターレンズにおいては、回折光学面を有するレンズの焦点距離をｆｋとし、第１レンズ群の最も物体側に位置する面から第２レンズ群の最も像側に位置する面までの距離をＬとしたときに、０．２＜｜ｆｋ｜／Ｌ＜５．０の条件を満足していることが好ましい。更に、第１レンズ群の最も物体側に位置する負メニスカスレンズは、物体側の面の曲率半径をｒ１、像側の面の曲率半径をｒ２としたときに、１．０＜（ｒ１＋ｒ２）／（ｒ１−ｒ２）＜５．０の条件を満足していることが好ましい。
【０００９】
【発明の実施の形態】
以下、本発明に係るワイドコンバーターレンズの実施形態について説明する。ワイドコンバーターレンズは任意の結像レンズ系の物体側に装着されて用いられるフロントコンバーターレンズの一種であり、先ず、このフロントコンバーターレンズについて光学的に説明する。フロントコンバーターレンズとは、上記のように任意の結像レンズ系（例えば撮像レンズ）の物体側に装着されて、物体側から入射した平行光束を像側へ平行光束として射出する光学系（アフォーカル光学系）をいう。この場合、フロントコンバーターレンズのアフォーカル倍率Ｍは、軸上近軸光線の傾角の大きさに関し、入射側に対する射出側の比（｜θout／θin｜：θoutは射出側の軸上近軸光線の傾角であり、θinは入射側の軸上近軸光線の傾角である）を示す。ワイドコンバーターレンズとはこのようなフロントコンバーターレンズのうち、結像レンズ系の物体側に取り付けられてレンズ系全体の焦点距離を短い方に変化させる光学系をいい、上記アフォーカル倍率Ｍを１．０よりも小さくする（すなわち広角化の機能を有する）ものである。
【００１０】
ワイドコンバーターレンズを構成する光学系としては、逆ガリレオ型の光学系が知られている。この逆ガリレオ型の光学系は、物体側から順に負の屈折力を有する第１レンズ群、正の屈折力を有する第２レンズ群と配置するとともに、第１レンズ群の物体側焦点位置と第２レンズ群の物体側焦点位置を一致させた構成となっている。その結果、物体側から平行に入射した光線束はワイドコンバーターレンズを通過した後、光束径が拡大された状態で像側へ平行に射出される。したがって、ワイドコンバーターレンズはアフォーカルコンバーターとも呼ばれ、この逆ガリレオ型のワイドコンバーターレンズにおけるアフォーカル倍率Ｍは、第１レンズ群の焦点距離をｆＦとし、第２レンズ群の焦点距離をｆＲとすると、下の式（ａ）で表される。
【００１１】
【数１】
Ｍ＝｜ｆＦ｜／ｆＲ  …  （ａ）
【００１２】
但し、第１レンズ群の物体側焦点位置と第２レンズ群の物体側焦点位置とを一致させていないときでも、軸上近軸光線の傾角の大きさに関し、入射側に対する射出側の比（｜θout／θin｜）でＭ＝｜θout／θin｜と定義する。
【００１３】
なお、このＭの値は、ワイドコンバーターレンズのレンズデータの部分のみを近軸追跡計算することによって求められる。すなわち、結像レンズ系によらず、ワイドコンバーターレンズのアフォーカル倍率Ｍはワイドコンバーターレンズ単体の構成パラメータによって定まる。但し、実用的には、第１レンズ群の物体側焦点位置と第２レンズ群の物体側焦点位置とを厳密に一致させる必要はなく、第１レンズ群及び第２レンズ群の少なくとも一方を光軸上に移動させてピント合わせ（焦点合わせ）をするか、後方の結像レンズ系（撮影レンズ）でピント合わせをすることができる範囲内において双方の焦点位置を十分に近接させておけばよい。このように双方の焦点位置が厳密に一致していない場合でも、アフォーカル倍率Ｍとは、軸上近軸光線の傾角の大きさに関し、入射側に対する射出側の比と考えるものとする。なお、このときのアフォーカル倍率Ｍは上記式（ａ）からずれるが、そのずれ量はわずかである。
【００１４】
なお、これら双方の焦点位置を厳密に一致させた場合、ワイドコンバーターレンズと、その像側に位置する任意の結像レンズ系（焦点距離をｆとする）の合成焦点距離はＭ×ｆで与えられる。ここで、双方の焦点位置が一致していない場合はＭ×ｆから若干外れてしまうが、合成した全体の光学系（ワイドコンバーターレンズ＋結像レンズ系）の焦点距離は、近軸光線追跡計算をすることによって求めることが可能である。
【００１５】
なお、本発明のワイドコンバーターレンズのような付加的な光学系では、それ自体において収差を十分に除去しておかないと、結像レンズ系（撮影レンズ）と組み合わせた状態における合成光学系（ワイドコンバーターレンズ＋撮影レンズ）での収差が劣化してしまい、その結像性能が低下してしまうので注意が必要である。本発明は、このような逆ガリレオ型のワイドコンバーターレンズにおいて回折光学素子を用いることにより、小型であるにも拘わらず、収差発生の少ない、優れた結像性能を得る手法を見出したものである。
【００１６】
次に、回折光学素子について説明する。一般に、光線を曲げる方法としては屈折と反射が知られているが、第３番目の方法として回折がある。従来知られた回折格子やフレネルゾーンプレートはこのような光の回折現象を利用した光学素子であり、回折光学素子と呼ばれる。このような回折光学素子は屈折や反射とは異なる振る舞いを示すことが知られており、その振る舞いの具体的な例としては、負の分散値を有することが挙げられる。この性質は色収差補正に極めて有効であり、高価な特殊低分散ガラスでしか達し得ない（通常のガラスでは達し得ない）良好な色収差補正が可能となる。
【００１７】
本発明においては、ガラスやプラスチック等の光学部材の表面に回折光学面、すなわち回折格子やフレネルゾーンプレートのように光線を曲げて回折現象を生ずる面を形成して良好な光学性能を得ている。図９はフレネルゾーンプレートの一例を示すものであり、図９（Ａ）は光軸方向から見たフレネルゾーンプレート１の正面図、図９（Ｂ）は図９（Ａ）における矢視Ｂ−Ｂから見たフレネルゾーンプレート１の断面図である。この図９に示すフレネルゾーンプレート１は回折光学面を構成する回折格子溝の１ピッチが連続した曲線であるキノフォーム型であるが、その他、周期構造が階段状のものや三角形状等のものとすることもできる。なお、このような回折光学素子については、「『回折光学素子入門』応用物理学会日本光学会監修平成９年第１版発行」に詳しい。
【００１８】
続いて、本発明に係るワイドコンバーターレンズの詳細について説明する。本発明に係るワイドコンバーターレンズは、物体側から順に負の屈折力を有する第１レンズ群と正の屈折力を有する第２レンズ群とを備えて逆ガリレオ型のアフォーカル光学系を構成しており、これら第１レンズ群及び第２レンズ群の少なくとも一方に回折光学面が設けられている（回折光学面が設けられた回折光学素子を有している）。
【００１９】
このように本発明に係るワイドコンバーターレンズでは、負の屈折力を有する第１レンズ群及び正の屈折力を有する第２レンズ群の少なくとも一方に回折光学面が設けられているため、従来に比して少ない枚数のレンズ数で諸収差を良好に補正することができるようになっている。このため本発明に係るワイドコンバーターレンズによれば、コンパクトな構成でありながら優れた結像性能を得ることができる。また、回折光学面を設けることにより色収差が良好に除去されるので、撮影画角を従来に比して（８０度以上、更には１００度以上にまで）大きく取ることが可能となる。
【００２０】
ここで、本発明に係るワイドコンバーターレンズにおいては、回折光学面を有する一般の光学系の場合と同様、回折光学面に入射する光線の角度は、できるだけ小さいことが好ましい。これは、上記入射角度が大きくなると回折光学面によるフレアが発生し易くなり、画質を損ねてしまうからである。したがって、本発明に係るワイドコンバーターレンズでは、そのフレアが及ぼす影響を小さくして良好な画質を得るため、最大像高に至る主光線（絞りの中心を通る光線）が回折光学面に入射する角度（主光線の光軸が回折光学面の法線となす角度）が１５度以下、好ましくは１０度（より好ましくは５度）以下となるようにすること、換言すると、回折光学面は、入射する光の角度が１５度（好ましくは１０度。より好ましくは５度）以下となるレンズ面に設けられることが望ましい。このような条件が満たされるのであれば、回折光学面は本ワイドコンバーターレンズ中のどこに配置してもよいが、本ワイドコンバーターレンズを構成するレンズの面のうち、物体側に凸となる面のいずれかに形成するようにすれば、上記条件を満足させることが容易になる。
【００２１】
また、本発明に係るワイドコンバーターレンズでは、上記回折光学面が物体側に凸な面に形成されており、回折光学面の有効径をＣ、第１レンズ群の焦点距離をｆＦとしたときに、下の条件式（１）を満足していることが好ましい。
【００２２】
【数２】
０．２＜Ｃ／｜ｆＦ｜＜１０．０  …  （１）
【００２３】
この条件式（１）は、回折光学面を有するレンズの適切な有効径（直径）を規定するものである。Ｃ／｜ｆＦ｜の値が上記条件式（１）の下限を下回ると、回折光学面を有するレンズの有効径が全系に対して小さくなり過ぎ、広角化が困難となるばかりか、十分な周辺光量の確保が難しくなる。反対に、Ｃ／｜ｆＦ｜の値が条件式（１）の上限を上回ると、回折光学面の製作が困難となるばかりか、レンズの研磨や心取りが困難となってコストアップにつながってしまう。しかも、有効径Ｃが大きくなり過ぎコマ収差が増大するので結像性能が劣化してしまい、更には外部からの有害光が入り易くなってフレア等による画質低下を招き易くなる。なお、本発明の効果を十分に発揮させるには、上記条件式（１）の上限値を２．０とすることが好ましい。また、下限値については０．５とすることが好ましい。
【００２４】
また、本発明に係るワイドコンバーターレンズでは、回折光学面を有するレンズの焦点距離をｆｋとし、第１レンズ群の最も物体側に位置する面から第２レンズ群の最も像側に位置する面までの距離（すなわちワイドコンバーターレンズの全長）をＬとしたときに、下の条件式を満足していることが好ましい。
【００２５】
【数３】
０．２＜｜ｆｋ｜／Ｌ＜５．０  …  （２）
【００２６】
上記条件式（２）は、回折光学面を有するレンズの焦点距離ｆｋと本発明のワイドコンバーターレンズの全長Ｌとの適正なる比を定めたものである。｜ｆｋ｜／Ｌの値が条件式（２）の上限を上回ると、回折光学面を有するレンズの焦点距離ｆｋが長くなり過ぎ、収差バランスを失い易くなる。そして、レンズ面の曲率半径の大きさが大きくなってゴーストが発生し易くなる不都合が生じる。逆に、｜ｆｋ｜／Ｌの値が条件式（２）の下限を下回ると、回折光学面を有するレンズの焦点距離が小さくなり過ぎ、この結果、ワイドコンバーターレンズの全長Ｌが大きくなり過ぎて小型化が困難となるばかりか、色収差補正の能力が不足してしまい、十分な色収差補正の達成が困難となる。なお、本発明の効果を十分に発揮させるには、上記条件式（２）の上限値を３．０とすることが望ましい。また、下限値については１．０とすることが望ましい。
【００２７】
また、本発明に係るワイドコンバーターレンズにおいては、第１レンズ群の最も物体側に位置する負メニスカスレンズは、物体側の面の曲率半径をｒ１、像側の面の曲率半径をｒ２としたときに、下の条件式（３）を満足していることが好ましい。
【００２８】
【数４】
１．０＜（ｒ１＋ｒ２）／（ｒ１−ｒ２）＜５．０  …  （３）
【００２９】
上記条件式（３）は、第１レンズ群の最も物体側に位置する負メニスカスレンズの適切な形状を規定するものである。ここで、（ｒ１＋ｒ２）／（ｒ１−ｒ２）の値が条件式（３）の下限を下回ると、非点収差や倍率色収差などの軸収差の劣化が大きくなり好ましくない。反対に、（ｒ１＋ｒ２）／（ｒ１−ｒ２）の値が条件式（３）の上限を上回ると、レンズの研磨や芯取りが困難となりコストアップにつながる。また、上記負メニスカスレンズが回折光学面を有する場合は、その製作が極めて困難となる。なお、本発明の効果を十分に発揮させるには、上記条件式（３）の上限値を３．５とすることが好ましい。また、下限値については１．０とすることが好ましい。
【００３０】
また、本発明に係るワイドコンバーターレンズにおいて、更に優れた性能を達成するには、第１レンズ群中、最も大きな空気間隔を隔てて位置している負メニスカスレンズにおける像側の面の曲率半径をＲＦとし、第２レンズ群中の両凸レンズ（複数ある場合には最も物体側に位置するもの）における物体側の面の曲率半径をＲＭとしたときに、下の条件式（４）が満足されることが好ましい。
【００３１】
【数５】
０．０＜ＲＦ／ＲＭ＜３．０  …  （４）
【００３２】
上記条件式（４）は、最も大きな空気間隔を隔てて位置している負メニスカスレンズにおける像側の面の曲率半径ＲＦと、第２レンズ群中の両凸レンズにおける物体側の面の曲率半径ＲＭとの比の適切な値を規定する。ＲＦ／ＲＭの値が条件式（４）の下限、上限のいずれを外れても、上記負メニスカスレンズで発生する正の球面収差と、上記両凸レンズで発生する負の球面収差とをバランス良く相殺することが困難となる。なお、本発明の効果を十分に発揮させるには、上記条件式（４）の上限値を１．５とすることが好ましい。また、下限値については０．１とすることが好ましい。
【００３３】
更に、本発明に係るワイドコンバーターレンズにおいては、第２レンズ群中の両凸レンズ（複数ある場合には最も物体側に位置するもの）のｄ線（λ＝５８７．５６２ｎｍ）に対する屈折率をＮとしたときに、下の条件式（５）を満足していることが好ましい。
【００３４】
【数６】
Ｎ＜１．７          …  （５）
【００３５】
上記条件式（５）は、第２レンズ群中に設けられる両凸レンズの屈折率Ｎの適正なる範囲を定めたものであり、Ｎの値が条件式（５）の上限を超えると、レンズ系全体のペッツバール和が小さくなり過ぎてしまい、この結果、像面湾曲が甚大となって良好な結像性能が得られなくなる不都合が生じてしまう。
【００３６】
実際に、本発明のワイドコンバーターレンズを構成する際には、第１レンズ群には、物体側に凸面を向けた１つないし２つの負メニスカスレンズを有することが好ましく、第２レンズ群は１枚の両凸レンズで構成することが好ましい。また、回折光学面は、最も物体側の負メニスカスレンズないしは、第２レンズ群中に設けられた両凸レンズの物体側の面に配置することが好ましい。そして、第１レンズ群の最も物体側に位置する負メニスカスレンズは良好な結像性能を得るためには、ｄ線に対する屈折率が１．７以上であることが好ましい。
【００３７】
ところで、上述の回折光学面をレンズ上に形成する場合、製造を容易にする観点から、フレネルゾーンプレートのように、その回折光学面を光軸に対して回転対称な格子構造にすることが好ましい。このような回転対称な格子構造は、通常の非球面レンズを製作するのと同じく、精研削でも、ガラスモールドでも形成可能である。また、レンズ表面に薄い樹脂層を形成し、この樹脂層に格子構造を設けるようにしてもよい。また、回折格子は単純な単層構造に限らず、複数の格子構造を重ねて複層構造にしてもよい。このように複層構造の回折格子によれば、回折効率の波長特性や画角特性をより一層向上させることができる。
【００３８】
また、回折光学面は、アッベ数が６５以下の光学ガラスレンズのレンズ面上に形成することが好ましい。これは、回折格子の形成が容易で、しかも良好な光学性能が得られるからである。また、本発明のワイドコンバーターレンズにおいては回折光学面の分散能が非常に大きいので、近軸パワーをほぼ零として用いることが、全体の良好な収差バランスを確保するうえで好ましい（後述する３つの実施例では、いずれも近軸パワーは零となっている）。
【００３９】
ところで、本発明に係るワイドコンバーターレンズは、任意の結像レンズ系（ここでは撮影レンズとする）の物体側に装着して用いられる。このように本発明に係るワイドコンバーターレンズを撮影レンズの物体側に装着すると、レンズ系全体の最短撮影距離は元の撮影レンズの最短撮影距離よりも小さくなるのであるが、第１レンズ群及び第２レンズ群の少なくとも一方が光軸に沿って移動する機構を設けておくことにより、近距離フォーカシングが可能となるので、焦点合わせについては特に問題はない。また、本発明に係るワイドコンバーターレンズにおいては、第２レンズ群を光軸に沿って移動可能な可動レンズ群として構成することにより、比較的簡素な構造を採ることができる。また、このような構成にすれば、全長を変化させることなく合焦（フォーカシング）を行う内部合焦方式（内焦方式）を採用することも可能となる。
【００４０】
更に、本発明に係るワイドコンバーターレンズは、撮影レンズのブレを検出するブレ検出手段と、ブレ検出手段からの信号とカメラの作動のシーケンス制御を行う制御手段とに基づいて適正なブレ補正量を定めるブレ制御装置と、ブレ制御装置により定められたブレ補正量に基づいて防振レンズ群を移動させる駆動機構とを組み合わせて、防振レンズシステムを構成することもできる。この場合、上記防振レンズ群は比較的小型である第２レンズ群或いは第２レンズ群の一部とし、これを光軸と直交する方向にシフトするように構成することが好ましい。また、本発明に係るワイドコンバーターレンズを構成する各レンズに加えて、非球面レンズ、屈折率分布型レンズ等を用いることにより、更に良好な光学性能が得られることはいうまでもない。
【００４１】
【実施例】
以下、本発明に係るワイドコンバーターレンズの具体的な実施例について説明する。下に示す３つの実施例では、図１、図３及び図６に示すように、本発明のワイドコンバーターレンズＷＣを、物体側に位置して負の屈折力を有する第１レンズ群ＦＬと、像側に位置して正の屈折力を有する第２レンズ群ＲＬとから構成し、結像レンズ系としての撮影レンズＭＬを第２レンズ群ＲＬの像側に配置した。また、回折光学面を有するレンズ素子（回折光学素子）は第１及び第３両実施例においては第１レンズ群ＦＬ中に、また第２実施例においては第２レンズ群ＲＬ中に配置した。
【００４２】
各実施例において、回折光学面の位相差は、通常の屈折率と後述する非球面式（６），（７）とを用いて行う超高屈折率法により計算した。超高屈折率法は、非球面形状の式と回折光学面の格子ピッチとの間の一定の等価関係を利用するものであり、本実施例において回折光学面は超高屈折率法のデータとして、すなわち、後述する非球面式（６），（７）及びその係数により示している。なお、本実施例では収差特性の算出対象としてｄ線及びｇ線を選んだ。本実施例において用いたｄ線及びｇ線の波長と、各スペクトル線に対して設定した具体的な屈折率の値を下の表１に示す。
【００４３】
【表１】
2004205652.tif 000003
【００４４】
各実施例において非球面は、光軸に垂直な方向の高さ（入射高）をｙとし、非球面の頂点における接平面から高さｙにおける非球面上の位置までの光軸に沿った距離（非球面量）をＺ（ｙ）とし、基準球面の曲率半径をｒ、近軸曲率半径をＲとし、円錐係数をκとし、２次の非球面係数をＣ2、４次の非球面係数をＣ4、６次の非球面係数をＣ6、８次の非球面係数をＣ8、１０次の非球面係数をＣ10としたとき、下の式（６），（７）で表されるものとした。
【００４５】
【数７】
Ｚ（ｙ）＝（ｙ2／ｒ）／（１＋（１−κ（ｙ2／ｒ2））1/2）
＋Ｃ2ｙ2＋Ｃ4ｙ4＋Ｃ6ｙ6＋Ｃ8ｙ8＋Ｃ10ｙ10    …（６）
Ｒ＝１／（（１／ｒ）＋２Ｃ2）                         …（７）
【００４６】
なお、本実施例において用いた超高屈折率法については、前述の「『回折光学素子入門』応用物理学会日本光学会監修平成９年第１版発行」に詳しい。
【００４７】
（第１実施例）
図１に、本発明の第１実施例に係るワイドコンバーターレンズと撮影レンズとからなる合成光学系のレンズ構成を示す。本第１実施例に用いた光学系における撮影レンズＭＬは図１に示すように、物体側から順に、平板ガラスからなる第１フィルタＦ１１、物体側に凸面を向けた負メニスカスレンズＬ１２（負レンズ）、両凹レンズＬ１３、物体側に凸面を向けた正メニスカスレンズＬ１４（正レンズ）、開口絞りＰ１５、両凸レンズＬ１６（正レンズ）と物体側に凹面を向けた（像側に凸面を向けた）負メニスカスレンズＬ１７（負レンズ）との接合正レンズ、両凸レンズＬ１８（正レンズ）と両凹レンズＬ１９（負レンズ）との貼り合わせからなる接合正レンズ、物体側に凸面を向けた負メニスカスレンズＬ２０（負レンズ）、物体側に凸面を向けた正メニスカスＬ２１（正レンズ）、両凸レンズＬ２２、及びそれぞれ平行平板ガラスからなる第２フィルターＦ２３及び第３フィルターＦ２４を配置して構成した。
【００４８】
また、撮影レンズＭＬの物体側に取り付けた本発明のワイドコンバーターレンズＷＣは、図１に示すように、負の屈折力を有する第１レンズ群ＦＬと正の屈曲力を有する第２レンズ群ＲＬとからなり、第１レンズ群ＦＬは物体側に凸面を向けて、この面に回折光学面Ｇｆが形成された１枚の負メニスカスレンズＬ１０１（負レンズ）から構成した。また、第２レンズ群ＲＬは１枚の両凸レンズＬ１０２（正レンズ）から構成した。
【００４９】
下の表２に、本第１実施例における各レンズの諸元を示す。表２における面番号１〜５は本発明のワイドコンバーターレンズＷＣに関するものであり、それぞれ図１における符号１〜５に対応する。また、表２における面番号６〜３０は撮影レンズＭＬに関するものであり、それぞれ図１における符号６〜３０に対応する。また、表２におけるｒはレンズ面の曲率半径（非球面の場合には頂点曲率半径）を、ｄはレンズ面の間隔を、ｎ（ｄ）はｄ線に対する屈折率を、ｎ（ｇ）はｇ線に対する屈折率をそれぞれ示している。なお、表２において、非球面形状に形成されたレンズ面には、面番号の右側に＊印を付している。また、非球面係数Ｃｎ（ｎ＝２，４，６，８，１０）において「Ｅ−１０」等は「×１０-10」等を示す。以上の表２の記号の説明は、以降の実施例の表においても同様である。
【００５０】
本実施例では、ワイドコンバーターレンズＷＣにおける面番号２及び３に相当する面が回折光学面Ｇｆに相当し、したがってレンズＬ１０１が回折光学面を有するレンズ素子（回折光学素子）に相当する。また、第１レンズ群ＦＬの最も物体側に位置するレンズ面はレンズＬ１０１の物体側レンズ面（面番号１）に相当し、第２レンズ群ＲＬの最も像側に位置するレンズ面はレンズＬ１０２の像側レンズ面（面番号５）に相当する。
【００５１】
図５は本第１実施例及び後述の第２実施例において用いられる撮影レンズＭＬ単体の諸収差図を示している。この図から分かるように、本発明のワイドコンバーターレンズを装着する前の撮影レンズＭＬはその単体において諸収差が良好に補正されており、優れた結像性能を有していることが分かる。
【００５２】
【表２】
2004205652.tif 000004
2004205652.tif 000005
2004205652.tif 000006
【００５３】
このように本実施例では、上記条件式（１），（２），（３），（４），（５）は全て満たされることが分かる。また、本実施例では、最大像高に至る光線で、開口絞りＰ１５の中心を通る光線（主光線）が面の法線となす角度（光線入射角）は、面番号２及び３に相当する面が最も光線入射角が小さくなっており（14.28137°）、したがってこの面に回折光学面Ｇｆが設けられている（レンズＬ１０１が回折光学素子となっている）。
【００５４】
また、図２は第１実施例における光学系の諸収差図である。各収差図においてＦＮＯはＦナンバーを、Ｙは像高を、Ｄはｄ線を、Ｇはｇ線をそれぞれ示している。また、球面収差図では最大口径に対応するＦナンバーの値を、非点収差図、歪曲収差図では像高の最大値をそれぞれ示し、コマ収差図では各像高の値を示す。更に、非点収差を示す収差図において、実線はサジタル像面を示し、破線はメリディオナル像面を示している。以上の収差図の説明は、以降の他の収差図においても同様である。各収差図から明らかなように、本第１実施例では諸収差が良好に補正されており、合成光学系（ワイドコンバーターレンズＷＣ＋撮影レンズＭＬ）全体において、優れた結像性能が確保されていることが分かる。なお、この実施例に係るワイドコンバーターレンズの撮影可能画角は、図１における光路図から分かるように、９２度であった。
【００５５】
（第２実施例）
図３に、本発明の第２実施例に係るワイドコンバーターレンズと撮影レンズとからなる合成光学系のレンズ構成を示す。本第２実施例における本発明のワイドコンバーターレンズＷＣは、負の屈折力を有する第１レンズ群ＦＬと正の屈曲力を有する第２レンズ群ＲＬとからなり、第１レンズ群ＦＬは物体側に凸面を向けた１枚の負メニスカスレンズＬ２０１（負レンズ）を配置して構成した。また、第２レンズ群ＲＬは、物体側に位置する面に回折光学面Ｇｆが形成された１枚の両凸レンズＬ２０２（正レンズ）を配置して構成した。また、撮影レンズは第１実施例における撮影レンズＭＬと同じとした。
【００５６】
下の表３に、本第２実施例における各レンズの諸元を示す。表３における面番号１〜５は本発明のワイドコンバーターレンズＷＣに関するものであり、それぞれ図３における符号１〜５に対応する。撮影レンズＭＬは前述のように第１実施例に用いたものと同じであるので、その諸元の表記はここでは省略する。
【００５７】
本実施例では、ワイドコンバーターレンズＷＣにおける面番号３及び４に相当する面が回折光学面Ｇｆに相当し、したがってレンズＬ２０２が回折光学面を有するレンズ素子（回折光学素子）に相当する。また、第１レンズ群ＦＬの最も物体側に位置するレンズ面はレンズＬ２０１の物体側レンズ面（面番号１）に相当し、第２レンズ群ＲＬの最も像側に位置するレンズ面はレンズＬ２０２の像側レンズ面（面番号５）に相当する。
【００５８】
【表３】
2004205652.tif 000007
2004205652.tif 000008
【００５９】
このように本実施例では、上記条件式（１），（２），（３），（４），（５）は全て満たされることが分かる。また、本実施例では、最大像高に至る光線で、開口絞りＰ１５の中心を通る光線（主光線）が面の法線となす角度（光線入射角）は、面番号３に相当する面が最も光線入射角が小さくなっており（9.34792°）、したがってこの面に回折光学面Ｇｆが設けられている（レンズＬ２０２が回折光学素子となっている）。
【００６０】
また、図４は第１実施例における光学系の諸収差図である。各収差図から明らかなように、本第２実施例では諸収差が良好に補正されており、合成光学系（ワイドコンバーターレンズＷＣ＋撮影レンズＭＬ）全体において、優れた結像性能が確保されていることが分かる。なお、この実施例に係るワイドコンバーターレンズの撮影可能画角は、図３における光路図から分かるように、８６度であった。
【００６１】
（第３実施例）
図６に、本発明の第３実施例に係るワイドコンバーターレンズと撮影レンズとからなる合成光学系のレンズ構成を示す。本第３実施例に用いた光学系における撮影レンズＭＬは図６に示すように、物体側から順に、物体側に凸面を向けた負メニスカスレンズＬ３１（負レンズ）、両凹レンズＬ３２、物体側に凸面を向けた正メニスカスレンズＬ３３（正レンズ）、開口絞りＰ３４、両凸レンズＬ３５（正レンズ）、両凸レンズＬ３６（正レンズ）と両凹レンズＬ３７（負レンズ）との接合正レンズ、物体側に凸面を向けた負メニスカスレンズ３８（負レンズ）と両凸レンズＬ３９（正レンズ）との貼り合わせからなる接合正レンズ、両凸レンズＬ４０、及びそれぞれ平行平板ガラスからなる第２フィルターＦ４１及び第３フィルターＦ４２を配置して構成した。
【００６２】
また、撮影レンズＭＬの物体側に取り付けた本発明のワイドコンバーターレンズＷＣは、図６に示すように、負の屈折力を有する第１レンズ群ＦＬと正の屈曲力を有する第２レンズ群ＲＬとからなり、第１レンズ群ＦＬは物体側から順に、物体側に凸面を向けて像側の面に回折光学面Ｇｆが形成された第１の負メニスカスレンズＬ３０１（負レンズ）、物体側に凸面を向けた第２の負メニスカスレンズＬ３０２（負レンズ）を配置して構成した。また、第２レンズ群ＲＬは１枚の両凸レンズＬ３０３（正レンズ）から構成した。
【００６３】
下の表４に、本第１実施例における各レンズの諸元を示す。表４における面番号１〜７は本発明のワイドコンバーターレンズＷＣに関するものであり、それぞれ図６における符号１〜７に対応する。また、表４における面番号８〜２８は撮影レンズＭＬに関するものであり、それぞれ図６における符号８〜２８に対応する。
【００６４】
本実施例では、ワイドコンバーターレンズＷＣにおける面番号２及び３に相当する面が回折光学面Ｇｆに相当し、したがってレンズＬ３０１が回折光学面を有するレンズ素子（回折光学素子）に相当する。また、第１レンズ群ＦＬの最も物体側に位置するレンズ面はレンズＬ３０１の物体側レンズ面（面番号１）に相当し、第２レンズ群ＲＬの最も像側に位置するレンズ面はレンズＬ３０３の像側レンズ面（面番号７）に相当する。
【００６５】
図８は本第３実施例において用いられる撮影レンズＭＬ単体の諸収差図を示している。この図から分かるように、本発明のワイドコンバーターレンズを装着する前の撮影レンズＭＬはその単体において諸収差が良好に補正されており、優れた結像性能を有していることが分かる。
【００６６】
【表４】
2004205652.tif 000009
2004205652.tif 000010
2004205652.tif 000011
【００６７】
このように本実施例では、上記条件式（１），（２），（３），（４），（５）は全て満たされることが分かる。また、本実施例では、最大像高に至る光線で、開口絞りＰ３４の中心を通る光線（主光線）が面の法線となす角度（光線入射角）は、面番号２及び３に相当する面が最も光線入射角が小さくなっており（12.0674°）、したがってこの面に回折光学面Ｇｆが設けられている（レンズＬ３０１が回折光学素子となっている）。
【００６８】
また、図７は第３実施例における光学系の諸収差図である。各収差図から明らかなように、本第３実施例では諸収差が良好に補正されており、合成光学系（ワイドコンバーターレンズＷＣ＋撮影レンズＭＬ）全体において、優れた結像性能が確保されていることが分かる。なお、この実施例に係るワイドコンバーターレンズの撮影可能画角は、図６における光路図から分かるように、１０２度であった。
【００６９】
以上の実施例からも分かるように、本発明に係るワイドコンバーターレンズは、コンパクトな構成でありながら収差発生が少なく、優れた結像性能を有している。したがって、このワイドコンバーターレンズを、例えばデジタルスチルカメラの物体側に装着して用いれば、実用に十分な広角化機能を得ることができる。また、上述の実施例では、回折光学面はワイドコンバーターレンズを構成するレンズ面の一つに設けられていたが、これは一例であり、回折光学面を複数のレンズ面に設けるようにしてもよい。
【００７０】
【発明の効果】
以上説明したように、本発明に係るワイドコンバーターレンズによれば、コンパクトな構成でありながら収差発生を少なくして、優れた結像性能を得ることができる。また、撮影画角を８０度以上、更には１００度以上にまで広げることが可能である。
【図面の簡単な説明】
【図１】本発明の第１実施例に係るワイドコンバーターレンズと撮影レンズとからなる合成光学系のレンズ構成を示す図である。
【図２】第１実施例における合成光学系の諸収差図である。
【図３】本発明の第２実施例に係るワイドコンバーターレンズと撮影レンズとからなる合成光学系のレンズ構成を示す図である。
【図４】第２実施例における合成光学系の諸収差図である。
【図５】第１及び第２実施例における撮影レンズ単体の諸収差図である。
【図６】本発明の第３実施例に係るワイドコンバーターレンズと撮影レンズとからなる合成光学系のレンズ構成を示す図である。
【図７】第３実施例における合成光学系の諸収差図である。
【図８】第３実施例における撮影レンズ単体の諸収差図である。
【図９】フレネルゾーンプレートの一例を示しており、（Ａ）は平面図、（Ｂ）は（Ａ）における矢視Ｂ−Ｂから見た断面図である。
【符号の説明】
１      フレネルゾーンプレート
ＷＣ    ワイドコンバーターレンズ
ＦＬ    第１レンズ群
Ｇｆ    回折光学面
ＲＬ    第２レンズ群
ＭＬ    撮影レンズ
【図１】
2004205652.tif 000012
【図２】
2004205652.tif 000013
【図３】
2004205652.tif 000014
【図４】
2004205652.tif 000015
【図５】
2004205652.tif 000016
【図６】
2004205652.tif 000017
【図７】
2004205652.tif 000018
【図８】
2004205652.tif 000019
【図９】
2004205652.tif 000020